(57)【要約】【課題】同じ間引きパターンを用いた場合にも間引きパターンのランダム性の低下を抑えて、高品位の画像を記録することができる記録装置、記録方法、および間引きパターン生成方法を提供すること。【解決手段】記録ヘッドの各走査中に、間引きパターンを記録ヘッドにおける記録素子列の方向にずらす。【選択図】　　　　図１
2004142162.tif 000002
【特許請求の範囲】
【請求項１】
複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行う記録装置において、
前記記録ヘッドの各走査中に、前記間引きパターンを前記記録素子の列の方向にずらすためのずらし手段を備えたことを特徴とする記録装置。
【請求項２】
前記ずらし手段は、前記記録ヘッドの走査位置に応じたカラム単位の前記間引きパターンを前記記録素子の列の方向にずらす
ことを特徴とする請求項１に記載の記録装置。
【請求項３】
前記記録ヘッドの走査位置に応じたカラム単位の前記間引きパターンを複数カラム分格納する格納手段を備え、
前記ずらし手段は、前記記録ヘッドの走査位置に応じて前記格納手段から所定の順序にしたがって繰り返し読み出されるカラム単位の前記間引きパターンを前記記録素子の列の方向にずらす
ことを特徴とする請求項２に記載の記録装置。
【請求項４】
前記格納手段は、前記複数分の間引きパターンとして前記記録ヘッドの各走査毎に異なる元パターンを格納し、
前記ずらし手段は、前記記録ヘッドの各走査時に、各走査毎に対応する前記元パターンから所定の順序にしたがって繰り返し読み出されるカラム単位の前記間引きパターンを同じタイミングで同じ量だけずらす
ことを特徴とする請求項３に記載の記録装置。
【請求項５】
前記ずらし手段は、前記記録ヘッドの各走査時に前記間引きパターンのずらし量を複数回変更することを特徴とする請求項１から４のいずれかに記載の記録装置。
【請求項６】
前記ずらし手段は、複数のずらし量の中から前記記録ヘッドの走査位置に応じて順次選択したずらし量に基づいて、前記間引きパターンを前記記録素子の列の方向にずらすことを特徴とする請求項１から５のいずれかに記載の記録装置。
【請求項７】
前記記録ヘッドは、吐出口からインクを吐出可能な複数の記録素子を列状に備えたインクジェット記録ヘッドであることを特徴とする請求項１から６のいずれかに記載の記録装置。
【請求項８】
前記記録ヘッドは、インク吐出用の熱エネルギーを発生する電気熱変換体を有することを特徴とする記録装置。
【請求項９】
複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行う記録方法において、
前記記録ヘッドの各走査中に、前記間引きパターンを前記記録素子の列の方向にずらすことを特徴とする記録方法。
【請求項１０】
複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行うために前記間引きパターンを生成する間引きパターン生成方法において、
前記記録ヘッドの各走査中に、前記間引きパターンの元データを前記記録素子の列の方向にずらすことによって前記間引きパターンを生成することを特徴とする間引きパターン生成方法。
【発明の詳細な説明】
【０００１】
【発明の属する技術分野】
本発明は、複数の記録素子が列状に備えられた記録ヘッドを用いたシリアルスキャンタイプの記録装置、記録方法、および間引きパターン生成方法に関するものである。
【０００２】
【従来の技術】
通常、シリアルスキャンタイプのインクジェット記録装置においては、記録ヘッドの各ノズルのインク吐出量やインク吐出方向のばらつきによる濃度ムラを低減させるために、マルチパス記録方式が採用されている。マルチパス記録方式は、同一の記録領域を複数回走査し、かつ各走査において、間引きパターンにしたがって間引いた間引き画像を形成することによって、画像を完成させる記録方式である。シリアルスキャン方式のインクジェット記録装置においては、インクジェット記録ヘッドを主走査方向に移動させつつ、その記録ヘッドからインクを吐出する動作と、主走査方向と交差する副走査方向に被記録媒体を搬送する動作と、を繰り返すことによって、被記録媒体上に順次画像を記録することになる。
【０００３】
図６（ａ）は、マルチパス記録方式を採用しない記録例の説明図、図６（ｂ）は、２回の走査で同一の記録領域の画像を完成させる２パスマルチパス記録方式を採用した場合の記録例の説明図である。これらの図６（ａ），（ｂ）の左側には、記録ヘッドＨのノズルからインクが吐出される様子を表しており、マルチパス記録の効果を説明するために、インクの吐出方向にばらつきを持たせている。これらの図６（ａ），（ｂ）の右側には、被記録媒体Ｐ上における４ドット×４ドットの画像データの記録結果を表している。図６（ａ）のようにマルチパス記録方式を採用しなかった場合には、インクの吐出方向のばらつきがそのまま記録結果として表れてしまう。図６（ｂ）のようなマルチパス記録方式においては、図７（ａ），（ｂ）に示される４×４の間引きパターンを使用した。図７（ａ）の間引きパターンは、図６（ｂ）における第１，第３走査時に使用し、図７（ｂ）の間引きパターンは、図６（ｂ）における第２走査時に使用する。図６（ｂ）のようなマルチパス記録方式においては、図６（ａ）の場合と同じ記録ヘッドＨを用いるにも拘わらず、インクの吐出方向のばらつきが分散されて、濃度ムラが低減されることが分かる。
【０００４】
しかしながら、図６（ｂ）のマルチパス記録では、図７（ａ），（ｂ）のような規則的な間引きパターンを繰り返し使用するため、画像によっては、濃度ムラが低減されなかったり、モアレじまが発生したりして、十分な画質が得られないおそれがあった。
【０００５】
高品位な画像形成を実現する方法としては、特許文献１に、複数の間引きパターンをランダムに使用する方法が記載されている。図８（ａ），（ｂ）は、そのように間引きパターンを使用した４パスマルチパス記録方式の説明図である。図８（ａ）のように、４つの間引きパターン１，２，３，４をランダムに使用し、図８（ｂ）のように記録ヘッドＨの４回の走査によって、被記録媒体Ｐ上の同一記録領域の画像を完成させる。
【０００６】
ところで、近年、インクジェット記録装置においては高画質化のための高解像度化が進んでおり、同時に、記録速度の高速化のために、記録ヘッドのノズル数が増加したり、単位時間当たりにインクを吐出する周期（ヒート周期）が短くなってきている。そのため、従来のソフトウェアで可能であったデータの転送処理、つまり記録データを格納したプリントバッファから記録ヘッドヘのデータの転送処理として、ハードウェアによる高速処理が必須となってきている。その結果、マルチパス記録時のデータの間引き処理もハードウェアによる処理が一般的となっている。
【０００７】
図９に、マルチパス記録時に１回の走査で行われるハードウェア処理の流れを示す。
【０００８】
図９において、１は記録データを格納したプリントバッファであり、ＲＡＭ上に配置される。２は、プリントバッファ１からの１カラム分の記録データの取り出し位置を示すプリントバッファ用カラムカウンタであり、１カム分の記録データを取り出すたびに、その取り出し位置が更新される。３は、プリントバッファ１からＤＭＡ（ｄｉｒｅｃｔ　ｍｅｍｏｒｙ　ａｃｃｅｓｓ）により取り出された１カラム分の記録データを一時保持しておくための記録データ用データレジスタである。４は、間引きパターンを格納したマスクバッファであり、ＲＡＭ上に配置される。５は、マスクバッファ４からの１カラム分の間引きパターンの取り出し位置を示すマスクバッファ用カラムカウンタであり、１カラム分の間引きパターンを取り出すたびに、その取り出し位置が更新される。マスクバッファ４は循環式の構成とされており、マスクバッファ用カラムカウンタ５の示す間引きパターンの取り出し位置がマスクバッファ４の図９中の左から右（または右から左）に移動して、マスクバッファ４の最右端（または最左端）のカラムまで移動した後は、マスクバッファ４の最左端（または最右端）のカラムに戻るようになっている。６は、マスクバッファ４からＤＭＡにより取り出された１カラム分の間引きパターンを一時保持しておくための間引きパターン用データレジスタである。７はＡＮＤ回路であり、記録データ用データレジスタ３に保持された１カラム分の記録データと、間引きパターン用データレジスタ６に保持された１カラム分の間引きパターンと、の論理積（ＡＮＤ）がとられ、その結果がデータ転送用データレジスタ８に一時保持される。その後、データ転送用データレジスタ８に保持された間引きデータが記録ヘッドヘ転送されて、記録が行われる。
【０００９】
このような処理を必要なカラム数だけ行うことにより、１回の走査で行われる処理が終了する。図９では、マスクバッファ４のカラム数（図中左右方向の幅に対応）として、プリントバッファ１のカラム数（図中左右方向の幅（記録幅）に対応）と同じカラム数だけ用意している。そのため、全ての間引きパターンをランダムに並べることができ、間引きパターンの規則性による濃度ムラを減少させることができる。
【００１０】
【特許文献１】
特開平７−５２３８９号公報
【００１１】
【発明が解決しようとする課題】
しかしながら、上記従来例では以下のような不具合があった。
例えば、１２８ノズルの記録ヘッドを用いて、記録幅が８インチ、主走査方向の解像度が２４００ｄｐｉの記録が可能なインクジェット記録装置の場合には、主走査方向に並ぶカラムの数が８×２４００＝１９２００となる。そのため、全ての間引きパターンを不規則（ランダム）に並べるためには、１２８（ビット）×１９２００（カラム）＝２４５７６００（ビット）＝３０７２００（バイト）もの容量のマスクバッファ４が必要となる。また、記録装置がホスト装置から記録指令を受信して、記録を行うするまでの間に、マスクバッファ４の間引きパターンに基づく間引きデータの生成、または展開をする必要がある。しかし、マスクバッファ４の容量が大きい場合には、間引きデータの生成、または展開の処理に時間が掛かり、スループットが低下するおそれがある。
【００１２】
このようなマスクバッファ４の大容量化の問題や、間引きデータの生成、または展開に要する処理時間の問題により、実際には、マスクバッファ４のカラム数をプリントバッファ１のカラム数よりもかなり少なくして使用するのが一般的である。
【００１３】
図１０は、このようにマスクバッファ４のカラム数をプリントバッファ１のカラム数よりも少なくした場合の処理の流れを示している。図９と同様に、図１０において１はプリントバッファ、２はプリントバッファ用カラムカウンタ、３は記録データ用データレジスタ、４はマスクバッファ、５はマスクバッファ用カラムカウンタ、６は間引きパターン用データレジスタ、７はＡＮＤ回路、８は転送データ用データレジスタを表している。図９と図１０は、マスクバッファ４のカラム数（幅）が異なるだけであり、図１０の場合には、プリントバッファ１のカラム数よリもマスクバッファ４のカラム数が少ない。そのため、１回の走査中に同じ間引きパターンを繰り返し使用することになり、図９の場合と比較すると間引きパターンのランダム性が低下し、画像が劣化するおそれがあった。
【００１４】
本発明の目的は、同じ間引きパターンを用いた場合にも間引きパターンのランダム性の低下を抑えて、高品位の画像を記録することができる記録装置、記録方法、および間引きパターン生成方法を提供することにある。
【００１５】
【課題を解決するための手段】
本発明の記録装置は、複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行う記録装置において、前記記録ヘッドの各走査中に、前記間引きパターンを前記記録素子の列の方向にずらすためのずらし手段を備えたことを特徴とする。
【００１６】
本発明の記録方法は、複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行う記録方法において、前記記録ヘッドの各走査中に、前記間引きパターンを前記記録素子の列の方向にずらすことを特徴とする。
【００１７】
本発明の間引きパターン生成方法は、複数の記録素子が列状に備えられた記録ヘッドを用い、被記録媒体上の所定の記録領域に対して前記記録ヘッドを前記記録素子の列と交差する方向に複数回走査させ、かつ各走査時に所定の間引きパターンにしたがって記録データを間引いて間引き画像を形成することによって、前記記録領域に記録すべき画像を完成させるマルチパス記録を行うために前記間引きパターンを生成する間引きパターン生成方法において、前記記録ヘッドの各走査中に、前記間引きパターンの元データを前記記録素子の列の方向にずらすことによって前記間引きパターンを生成することを特徴とする。
【００１８】
【発明の実施の形態】
以下、本発明の実施形態を図１から図５に基づいて説明する。
【００１９】
図５は、本発明を適用可能なシリアルスキャンタイプのインクジェット記録装置の概略構成図である。図５において、５１は、インクを吐出可能なインクジェット記録ヘッド１１２（図４参照）の搭載が可能なキャリッジである。５２はフレキシブルケーブルであり、記録装置本体の背面に取り付けられた制御基板と、キャリッジ５１上に搭載された記録ヘッド１１２とを電気的に接続する。５３Ａは、キャリッジモータ（ＣＲモータ；図４参照）１１０の駆動力を伝えるモータプーリであり、このモータプーリ５３Ａとプーリ５３Ｂとの間に駆動ベルト５４が架け渡されている。駆動ベルト５４はキャリッジ５１に連結されており、これにより、駆動ベルト５４を介してキャリッジ５１が矢印Ｘの主走査方向に往復移動される。５５は紙送りローラであり、紙送りモータ（ＬＦモータ；図４参照）１１１からの駆動力により、被記録媒体としての用紙を主走査方向と交差する副走査方向（本例の場合は、主走査方向と直交する矢印Ｙ方向）に搬送する。
【００２０】
図４は、図５のインクジェット記録装置における制御回路の概略構成図である。図４において、１０１はホストコンピュータ（ホスト装置）との間のデータ送受信を行うインターフェース、１０２はＭＰＵ、１０３はゲートアレイ（Ｇ・Ａ）であって本発明の制御に係わる回路が搭載されている、１０４はＲＯＭであり、本発明の制御に係わる制御プログラムが格納されている。１０５はＲＡＭ、１０６はバスＩ／Ｏ、１０７はＣＲモータドライバ、１０８はＬＦモータドライバ、１０９は、キャリッジ５１に搭載されたインクジェット記録ヘッド１１２を駆動するためのヘッド用ドライバ、１１０はＣＲモータ、１１１はＬＦモータを表している。
【００２１】
記録ヘッド１１２には、複数のノズルが主走査方向と交差する方向（本例の場合は、主走査方向と直交する方向）に列状に並ぶように形成されており、それぞれのノズル先端の吐出口からインクの吐出が可能である。インクを吐出するためのエネルギーとしては、電気熱変換体（ヒータ）から発生する熱エネルギーを利用することができる。その場合には、吐出口に連通するインク流路中に備わる電気熱変換体に通電して発熱させ、その熱エネルギーによってインク流路内のインクを膜沸騰させ、その発泡エネルギーによって、そのインク流路に対応する吐出口からインクを吐出する。異なる色のインクを吐出可能な複数の記録ヘッド１１２をキャリッジ５１に搭載することによって、カラー画像を記録することができる。その場合には、図５のように異なるインクを収容するインクタンク５６をキャリッジ５１に搭載して、対応する記録ヘッド１１２にインクを供給する。インクタンク５６と記録ヘッド１１２は、一体化してインクジェットカートリッジを構成するものであってもよい。
【００２２】
図１は、本実施形態におけるマルチパス記録時のハードウェア処理の流れを示している。この図１の処理は、図４中のゲートアレイ１０３によって処理される。
【００２３】
図１において、１１は記録データを格納したプリントバッファであり、図４中のＲＡＭ１０５上に配置される。１２は、プリントバッファ１１から１カラム分の記録データの取り出し位置を示すプリントバッファ用カラムカウンタであり、１カム分の記録データを取り出すたびに、その取り出し位置が更新される。１３は、プリントバッファ１１からＤＭＡにより取リ出された１カラム分の記録データを一時保持しておくための記録データ用データレジスタである。１４はランダム間引きパターンを格納したマスクバッファ１４であり、図４中のＲＡＭ１０５上に配置される。１５は、マスクバッファ１４からの１カラム分の間引きパターンの取り出し位置を示すマスクバッファ用カラムカウンタであり、１カラム分の間引きパターンを取り出すたびに、その取り出し位置が更新される。マスクバッファ１４は循環式の構成とされており、マスクバッファ用カラムカウンタ１５が示す間引きパターンの取り出し位置がマスクバッファ１４の図中の左から右（または右から左）に移動して、マスクバッファ１４の図中の最右端（または最左端）のカラムまで移動した後は、マスクバッファ１４の図中の最左端（または最右端）のカラムに戻るようになっている。
【００２４】
１６は、マスクバッファ１４からＤＭＡによリ取り出された１カラム分の間引きパターンを一時保持しておくための間引きパターン用第１データレジスタである。１７はずらし回路であり、間引きパターン用第１データレジスタ１６に保持された間引きパターンを指定されたずらし量だけノズル列方向にずらし、その結果を間引きパターン用第２データレジスタ２０に一時保持する。１８はずらし量設定レジスタであり、複数のずらし量を任意に設定することが可能である。したがって、図４中のＲＯＭ１０４に格納されたプログラムによって、さまざまなずらし量の設定が可能である。１９はずらし量設定ポインタであり、ずらし量設定レジスタ１８に設定されたずらし量のどれを有効にするかを示し、このずらし量設定ポインタ１９によって示されたずらし量がずらし回路１７で採用される。ずらし回路１７は、採用したずらし量だけ、間引きパターン用第１データレジスタ１６に保持された間引きパターンをノズル列方向にずらす。また、ずらし量設定ポインタ１９が示すずらし量を更新するタイミングは、カラムカウンタ１５が示す間引きパターンの取り出し位置がマスクバッファ１４の図中の最右端（または最左端）のカラムまで移動した後に、マスクバッファ１４の図中の最左端（または最右端）のカラムに戻るタイミングとされている。
【００２５】
２１はＡＮＤ回路であり、記録データ用データレジスタ１３に保持された１カラム分の記録データと、間引きパターン用データレジスタ２０に保持された１カラム分の間引きパターンと、の論理積（ＡＮＤ）がとられ、その結果がデータ転送用データレジスタ２２に一時保持される。その後、データ転送用データレジスタ２２に保持された間引きデータが記録ヘッドヘ転送されて、記録が行われる。
【００２６】
このような処理を必要なカラム数だけ行うことにより、１回の記録走査に必要なハードウェア処理が終了する。その記録走査中は、間引きパターンをノズル列方向に任意にずらすことが可能となる。
【００２７】
図２は、ノズル列方向にずらす間引きパターンの説明図である。これらの間引きパターンのずらし処理は、図１の流れの中で行われる。ここでは、説明を簡単にするため、マスクバッファ１４として縦８ドット×横４カラムのマスクバッファを用いるものとする。
【００２８】
図２において、（ａ）は、マスクバッファ１４に並べられた間引きパターンであり、それが元データ（元パターン）となる。同図（ｂ）は、同図（ａ）の間引きパターンを図中の上方向に１ドットずらした間引きパターンであり、同図中の上側にはみ出た間引きデータは同図中の下側に付加される。同図（ｃ）は、同図（ａ）の間引きパターンをずらさない間引きパターンである。同図（ｄ）は、同図（ａ）の間引きパターンを図中の下方向に３ドットずらした間引きパターンであり、同図中の下側にはみ出た間引きデータは同図中の上側に付加される。同図（ｅ）は、同図（ａ）の間引きパターンを図中の上方向に２ドットずらした間引きパターンであり、同図中の上側にはみ出た間引きデータは同図中の下側に付加される。このような図２（ｂ），（ｃ），（ｄ），または（ｅ）の間引きパターンは、ずらし量設定レジスタ１８に設定された「上方向に１ドット」、「ずらしなし」、「下方向に３ドット」、または「上方向に２ドット」のずらし量をずらし量設定ポインタ１９が示したときに生成される。
【００２９】
図３は、間引きパターンをノズル列方向にずらした場合の効果を説明するための図である。図３では、図２で説明した縦８ドット×横４カラムの間引きパターンを使用して、縦８ドット×横１６カラムの間引きパターンを再現した。
【００３０】
図３において、（ａ）は、間引きパターンをノズル列方向のずらさなかった場合の説明図であり、図２（ａ）の間引きパターンが４回繰り返し並べられる。図３（ｂ）は、本実施形態のように間引きパターンをノズル列方向にずらした場合の説明図であり、ずらし量設定レジスタ１８に設定された「上方向に１ドット」、「ずらしなし」、「下方向に３ドット」、または「上方向に２ドット」のずらし量をずらし量設定ポインタ１９が順次示すことによって、図２（ｂ），（ｃ），（ｄ），（ｅ）の間引きパターンが並べられる。
【００３１】
図３（ａ）の場合には、明らかに間引きパターンの周期性が生じる。しかし、図３（ｂ）の場合には、間引きパターンの周期性がなくなり、そのランダム性が明らかに向上していることが分かる。
【００３２】
また、本例のようなマルチパス記録方式において、同一の記録領域に対して複数回の走査を行う場合、マスクバッファ１４には、各走査毎に異なる間引きパターンが格納される。そして各走査時に、記録ヘッド１１２の走査位置に応じたカラム単位の間引きパターンがマスクバッファ１４から所定の順序にしたがって繰り返し読み出される。各走査時は、各走査毎に対応するマスクバッファ１４の間引きパターンを同様にずらすことによって、つまり同じタイミングで同じ量だけずらすことによって、各走査時に形成する間引き画像が同様にずらされる。この結果、複数回の走査により同一の記録領域に間引き画像を形成して、記録すべき画像を完成させることができる。
【００３３】
（他の実施形態）
本発明において用いる記録ヘッドは、吐出口からインクを吐出可能な記録素子を列状に備えたインクジェット記録装置の他、種々の記録素子を列状に備えた記録ヘッドを用いることができる。
【００３４】
【発明の効果】
以上説明したように、本発明は、記録ヘッドの各走査中に、間引きパターンを記録ヘッドにおける記録素子列の方向にずらすことにより、同じ間引きパターンを用いた場合にも間引きパターンのランダム性の低下を抑えて、高品位の画像を記録することができる。
【００３５】
この結果、高品位の画像の記録を実現しつつ、間引きパターンの格納部の容量を小さく抑え、かつ間引きパターンの生成および展開に要する処理時間を短縮することができる。
【図面の簡単な説明】
【図１】本発明の一実施形態におけるマルチパス記録時のハードウェア処理の説明図である。
【図２】（ａ）〜（ｅ）は、本発明の一実施形態における間引きパターンの説明図である。
【図３】（ａ）は、本発明の比較例としての間引きパターンの説明図、（ｂ）は、本発明の一実施形態における間引きパターンの説明図である。
【図４】本発明の一実施形態における記録装置の制御回路の概略構成図である。
【図５】本発明を適用可能なインクジェット記録装置の概略斜視図である。
【図６】（ａ）はワンパス記録方式の説明図、（ｂ）はマルチパス記録方式の説明図である。
【図７】（ａ），（ｂ）は、従来例における間引きパターンの説明図である。
【図８】（ａ）は従来例における間引きパターンの説明図、（ｂ）は、その間引きパターンを用いた従来のマルチパス記録の説明図である。
【図９】従来例におけるマルチパス記録時のハードウェア処理の説明図である。
【図１０】他の従来例におけるマルチパス記録時のハードウェア処理の説明図である。
【符号の説明】
１１　プリントバッファ
１２　プリントバッファ用カラムカウンタ
１３　記録データ用データレジスタ
１４　マスクバッファ
１５　マスクバッファ用カラムカウンタ
１６　間引きパターン用第１データレジスタ
１７　ずらし回路
１８　ずらし量設定レジスタ
１９　ずらし量設定ポインタ
２０　間引きパターン用第２データレジスタ
２１　ＡＮＤ回路
２２　転送データ用データレジスタ
【図１】
2004142162.tif 000003
【図２】
2004142162.tif 000004
【図３】
2004142162.tif 000005
【図４】
2004142162.tif 000006
【図５】
2004142162.tif 000007
【図６】
2004142162.tif 000008
【図７】
2004142162.tif 000009
【図８】
2004142162.tif 000010
【図９】
2004142162.tif 000011
【図１０】
2004142162.tif 000012